(57)【要約】【課題】界磁導体の総断面積を増加させ、回転子スロット内の界磁導体の占積率を向上させることで界磁銅損を低減して高効率で大容量の回転電機を提供する。【解決手段】回転子鉄心１に複数の回転子スロット２を設け、回転子スロット２内に複数の界磁導体５からなる界磁コイル３を収納し、界磁導体５の外径側に絶縁ブロック７を配置し、界磁導体５及び絶縁ブロック７と回転子鉄心１の間にスロット絶縁体６を施し、絶縁ブロック７の外径側から回転子楔４で界磁コイル５を固定してなる回転電機の回転子である。絶縁ブロック７を断面凹字形状とし、絶縁ブロック７を、その凹部が界磁コイルに対向するようにスロット内に配置するとともに、絶縁ブロック７の凹部内側に形成されるスペースに界磁導体５ａを配設する。【選択図】図１
2009254011.tif 000002
【特許請求の範囲】
【請求項１】
回転子鉄心にその外周面から軸心に向かう複数の回転子スロットを配設し、前記回転子スロット内に複数の界磁導体からなる界磁コイルを収納し、前記界磁コイルの回転子外径側に絶縁ブロックを配置すると共に、前記界磁コイルおよび前記絶縁ブロックと前記回転子スロット側面との間にスロット絶縁体を配置し、前記絶縁ブロックの回転子外径側に回転子楔を介挿して前記界磁コイルを前記回転子スロット内に固定してなる回転電機の回転子において、
前記絶縁ブロックは回転子の軸に垂直な断面が凹字形状をなし、前記絶縁ブロックの凹部が前記界磁導体と対向するように前記回転子スロット内に配置するとともに、前記絶縁ブロックの凹部と前記界磁導体との間に形成されるスペース内にも界磁導体を配置したことを特徴とする回転電機の回転子。
【請求項２】
前記絶縁ブロックの幅を前記界磁コイルの幅より大きく形成するとともに、前記絶縁ブロックを配置する範囲の前記回転子スロット幅を広くしたことを特徴とする請求項１に記載の回転電機の回転子。
【請求項３】
前記絶縁ブロックを配置する範囲の前記スロット絶縁体を前記界磁導体と絶縁ブロックの間に配置したことを特徴とする請求項２に記載の回転電機の回転子。
【請求項４】
前記絶縁ブロックを配置する範囲の前記スロット絶縁体を前記界磁導体と絶縁ブロックとの間の一部にのみ配置し、他部は前記スロット絶縁体の厚さ分だけ幅の広い界磁導体を配置したことを特徴とする請求項３に記載の回転電機の回転子。
【請求項５】
前記界磁導体、絶縁ブロック、および回転子楔に、それぞれ径方向に連通する冷却孔を設けるとともに、前記絶縁ブロックに設けた冷却孔の内側面に凹凸を設けたことを特徴とする請求項１乃至請求項４のいずれか一項に記載の回転電機の回転子。
【請求項６】
前記絶縁ブロックと対向する界磁導体の冷却孔を、前記絶縁ブロックおよび他の界磁導体に設ける冷却孔より大きく形成し、前記絶縁ブロックと対向する界磁導体の冷却孔内面の一部を覆うように前記絶縁ブロックを突出させたことを特徴とする請求項１乃至請求項５のいずれか一項に記載の回転電機の回転子。
【請求項７】
前記絶縁ブロックの回転子外径側の冷却孔近傍と前記回転子楔の回転子内径側の冷却孔近傍との間に空隙を設けたことを特徴とする請求項５に記載の回転電機の回転子。
【請求項８】
前記絶縁ブロックに設けた冷却孔の内面にネジ加工を施し、前記回転子楔の冷却孔を貫通する絶縁パイプを前記絶縁ブロックの冷却孔にネジ込み固定したことを特徴とする請求項５に記載の回転電機の回転子。
【請求項９】
前記絶縁ブロックは、前記冷却孔の内面位置から絶縁ブロックと対向する界磁導体に設けた冷却孔の内面位置までの範囲を回転子径方向に分割して構成し、前記回転子楔に最も近い絶縁ブロックと対向する界磁導体に設けた冷却孔と同じ内径の冷却孔を有する第１の絶縁ブロック片と、前記第１の絶縁ブロック片の冷却孔に嵌合するように形成され中空パイプ状の第２の絶縁ブロック片からなることを特徴とする請求項６に記載の回転電機の回転子。
【請求項１０】
前記絶縁ブロックは、前記回転子スロットの深さ方向に分割して構成し、前記回転子楔に隣接する界磁導体に設けた冷却孔と同じ内径の冷却孔を有する第１の絶縁ブロック片と、前記第１の絶縁ブロック片の冷却孔および前記回転子楔に隣接する界磁導体の冷却孔内面の一部を覆うように形成した第２の絶縁ブロック片からなることを特徴とする請求項６に記載の回転電機の回転子。
【発明の詳細な説明】
【技術分野】
【０００１】
本発明は、回転子鉄心に設けられた複数のスロットに界磁コイルを収納して構成した回転電機の回転子に関する。
【背景技術】
【０００２】
従来の回転電機について、図面を用いて説明する（特許文献１参照）。図１１は、従来の回転電機における回転子の横断面図であり、図に示すように、回転子鉄心１の外周側に複数の回転子スロット２が設けられ、この回転子スロット２の内部には界磁コイル３が収納され、界磁コイル３は回転子鉄心１の外径側から回転子楔４で固定されている。回転中に界磁コイル３に働く遠心力は回転子楔４を介して回転子ティース１４に伝達される。
【０００３】
このため、遠心力に対する回転電機の健全性を確保するためには、回転子楔４および回転子ティース１４に十分な強度が要求される。この意味から、回転子楔４はその形状、厚さ等が十分な強度を確保するように設定されている。回転子ティース１４には、この界磁コイル３に働く遠心力に加えて自分自身に働く遠心力も作用する。この場合に、特に問題となるのは回転子ティース１４の最狭部１４ａであり、この部分の強度が遠心力に対して十分であるようにする必要がある。
【０００４】
一方、回転子スロット２の深さを深くすることは、この回転子ティースの最狭部１４ａの幅を狭くし、かつ界磁コイル３および回転子ティース１４自身に働く遠心力を増大させる。また、回転子スロット２の幅を広くすることもこの回転子ティースの最狭部１４ａの幅を狭くすることにつながる。当然、この場合に特に問題となるのは、回転子スロット２の内径側の幅である。
【０００５】
界磁コイル３は、界磁電流を通電することにより界磁磁束を発生するが、このために界磁コイル３に界磁銅損が発生する。このため、回転電機の健全性を確保するためには、界磁コイル３を冷媒で冷却して所定の温度以下に保つ必要がある。この場合の冷却方式としては、冷媒を回転電機の軸方向に流す方法と径方向に流す方法に大別できる。冷媒を軸方向に流して界磁コイル３を冷却する場合には、界磁コイル３内部に図示しない径方向の冷却孔を設け、回転子スロット２の内径側に冷媒流路１５を設けて、この冷媒流路１５内部に冷媒を軸方向に流して冷却孔まで導く構成としている。また、冷媒を軸方向に流す場合には、界磁コイル３内部に図示しない軸方向の冷媒流路を設ける構成とし、この場合には、回転子スロット２の内径側の冷媒流路１５は通常は設けない。
【０００６】
また、図１２は従来の回転電機の回転子スロット２の１スロット分の拡大断面図を示すもので、界磁コイル３は複数の界磁導体５を回転子スロット２内に径方向に積み上げて構成されており、界磁導体５と回転子鉄心２との間にはスロット絶縁体６が介挿され、界磁導体５と回転子楔４との間には絶縁ブロック７を設けて、界磁導体５とアース電位となる回転子鉄心２および回転子楔４との間の絶縁を確保している。
【０００７】
また、冷媒を径方向に流して界磁コイル３を形成する界磁導体５を冷却する方式では、界磁導体５に界磁導体冷却孔８ａを、絶縁ブロック７に絶縁ブロック冷却孔８ｂを、回転子楔４に回転子楔冷却孔８ｃをそれぞれ径方向に連通するように設けて、回転子スロット２の内径側に設けた図示しない流路からギャップ９まで冷媒を導くことにより界磁導体５を冷却する。
【０００８】
また、冷媒を軸方向に流して界磁コイル３を形成する界磁導体５を冷却する方式では、界磁コイル３の内部に図示しない冷却流路を設けて冷媒を流すことにより界磁導体５を冷却する。このような構成とする場合には、一般に径方向の冷却孔８ａ、８ｂ、８ｃは設けない。
【０００９】
このような構成の界磁コイル３では、一般に絶縁上で問題となるのは沿面放電であり、回転電機の健全性を確保するためには、界磁コイル３を形成する界磁導体５とアース電位との間の沿面距離を確保することが必要である。即ち、界磁導体５と回転子楔４との間の沿面距離Ｌａ、冷却孔８ａ、８ｂが設けられる場合には、界磁導体５と回転子楔４との間の冷却孔８ｂの内面に沿った沿面距離Ｌｂを確保する必要がある。この２種類の沿面距離はいずれも絶縁ブロック７の厚さＴにほぼ等しくなるため、沿面距離を確保するためには絶縁ブロック７の厚さを十分に確保するようにしている。しかし、このことは回転子スロット２の内部での界磁導体５の占積率を低下させることになる。
【特許文献１】実開平１−１０１１４３号公報
【発明の開示】
【発明が解決しようとする課題】
【００１０】
回転電機の効率向上を図るためには、回転電機に発生する損失の一部としての界磁銅損を低減する必要がある。また、回転電機の大容量化を図るためには、界磁磁束を増加する必要があり、必然的に界磁起磁力を増加する必要がある。
【００１１】
この界磁起磁力の増加に見合って界磁コイルの冷却を強化することが必要であり、この場合にも界磁銅損をできる限り低減することが必要である。
【００１２】
このように界磁銅損を低減するためには、できる限り界磁コイルを形成する界磁導体の総断面積を増加する必要がある。しかし回転子の強度上の制約から回転子スロットの寸法に制約があるため、回転子スロットの断面積の増加には限界があり、したがって、界磁起磁力の増加にも限界がある。
【００１３】
本発明は上述した事情を考慮してなされたもので、回転子スロット内の界磁導体の占積率を向上させるため、界磁コイルの外径側に設けられる絶縁ブロックの断面積を減少させて回転子スロット内の界磁導体の占積率を向上し、界磁導体の総断面積を増加させることで界磁銅損を低減して高効率で大容量の回転電機を提供することを目的とする。
【課題を解決するための手段】
【００１４】
上記目的を達成するために、本発明に係る回転電機の回転子は、回転子鉄心にその外周面から軸心に向かう複数の回転子スロットを配設し、前記回転子スロット内に複数の界磁導体からなる界磁コイルを収納し、前記界磁コイルの回転子外径側に絶縁ブロックを配置すると共に、前記界磁コイルおよび前記絶縁ブロックと前記回転子スロット側面との間にスロット絶縁体を配置し、前記絶縁ブロックの回転子外径側に回転子楔を介挿して前記界磁コイルを前記回転子スロット内に固定してなる回転電機の回転子において、
前記絶縁ブロックは回転子の軸に垂直な断面が凹字形状をなし、前記絶縁ブロックの凹部が前記界磁導体と対向するように前記回転子スロット内に配置するとともに、前記絶縁ブロックの凹部と前記界磁導体との間に形成されるスペース内にも界磁導体を配置したことを特徴とする。
【発明の効果】
【００１５】
本発明においては、上記のように構成したので、絶縁ブロックの凹部にも界磁コイルを介在させたことで、界磁コイルのスロット内断面積を増加させ、コイルの占積率を向上することができ、高効率で大容量の回転電機を提供することが可能となる。
【発明を実施するための最良の形態】
【００１６】
以下、本発明に係る回転電機の回転子の実施形態について、図面を参照して説明する。
【００１７】
（第１の実施形態）
本発明に係る回転電機の回転子の第１の実施形態について、図１を用いて説明する。
【００１８】
図１は本実施形態における回転電機の回転子外周側に配設された複数の回転子スロットのうち、一つの回転子スロット周りの構成を示す要部断面図である。
【００１９】
図において、回転子鉄心１に設けられた回転子スロット２内には、複数の界磁導体５を径方向に積み重ねて形成された界磁コイル３が配設されており、さらに、回転子鉄心１と界磁導体５の間にはスロット絶縁体６が設設されている。また、界磁導体５の外径側には断面が凹字形状の絶縁ブロック７がその凹部と界磁コイル３が対向するように界磁コイル３の外側に設置され、界磁コイル３は、絶縁ブロック７の外径側から回転子楔４により固定されている。
【００２０】
さらに、絶縁ブロック７の凹部と対向する界磁導体５との間に生じたスペースには、他の界磁導体５より絶縁ブロック７の厚さ分だけ幅の狭い界磁導体５ａが設けられている。界磁コイル３を形成する界磁導体５は界磁コイル３中に設けた図示しない冷却流路に軸方向に冷媒を流すことにより冷却されている。
【００２１】
このように構成された本実施形態においては、絶縁ブロック７の厚さＴは、界磁導体５と回転子楔４との間の必要な沿面距離Ｌａを満足するようにしているため、絶縁信頼性は従来構成と同等であり、絶縁ブロック７中の界磁導体５ａの分だけ界磁導体５の総断面積を増加させることができる。
【００２２】
ここで、本実施形態の変形例について図２を用いて説明する。
【００２３】
図２は、第１の実施形態の第１の変形例を示す回転子スロット部の断面図であり、図２においては、絶縁ブロック７を断面凹字形状とし、絶縁ブロック７の内側スペースに界磁導体５ａを設ける点は上記した第１の実施形態と同様であるが、図２においては、絶縁ブロック７の幅を大きくして、絶縁ブロック７の幅を増加した分だけ、絶縁ブロック７を配置する部分の回転子スロット２の幅を広くしている。このため、絶縁ブロック７の内側スペースに配置する界磁導体５ａの断面積を、実施形態１の場合より大きくすることができ、その分だけ第１の実施形態の構成に比べて、さらに界磁導体５の総断面積を増加できる。
【００２４】
この場合も、絶縁ブロック７の厚さＴは界磁導体５と回転子楔４との間の必要な沿面距離Ｌａを満足するようにしているため、絶縁信頼性は従来構成と同等である。
【００２５】
なお、回転子スロット２の回転子内径側の幅は従来構成と変わらないため、遠心力に対する強度は従来構成と同様である。
【００２６】
次に、第１の実施形態の第２の変形例について、図３を用いて説明する。
【００２７】
図３においては、スロット絶縁体６を断面凹字形状とし、絶縁ブロック７の内側に界磁導体５ａを設け、絶縁ブロック７を配置する範囲の回転子スロット２の幅を広くしている点は、第１の変形例と同様であるが、絶縁ブロック７を配置する範囲のスロット絶縁体６は、絶縁ブロック７と絶縁ブロック７の内側に生じるスペース内に配置される界磁導体５ａとの間に介挿されている。
【００２８】
この構成においては、絶縁上で問題となるのは、絶縁ブロック７の内側のスペース内に配置する界磁導体５ａと回転子鉄心１との間の沿面距離はＬｃとなるが、絶縁ブロック７をこの沿面距離を満足するような厚さＴに構成すれば、絶縁信頼性は従来構成と同等である。
【００２９】
また、この構成においては、スロット絶縁体６の形状を従来構成と同様にできるため、形状が複雑になることによるスロット絶縁体６の製造上、組立上の煩雑さが改善できる。界磁導体５の総断面積を増加できる効果等については第１の変形例と同様である。
【００３０】
次に、第１の実施形態における第３の変形例について、図４を用いて説明する。
【００３１】
図４においては、絶縁ブロック７の断面形状を凹字形状とし、絶縁ブロック７の内側に生じるスペース内に界磁導体５ａを設け、絶縁ブロック７を配置する範囲の回転子スロット２の幅を広くし、その範囲のスロット絶縁体６を絶縁ブロック７と絶縁ブロック７の内側スペースに配置した界磁導体５ａの間に配置している点は第２の変形例と同様であるが、本変形例では、絶縁ブロック７の厚さＴを第２の変形例の場合よりも大きくし、絶縁ブロック７の内側スペースに界磁導体５ａに加えて界磁導体５ｂを配置して、界磁導体５ｂがスロット幅と同等の幅を確保できるようにしている。
【００３２】
すなわち、界磁導体５ａと回転子鉄心１との間の沿面距離Ｌｃより絶縁ブロック７の厚さを大きくとり、かつ絶縁ブロック７と絶縁ブロック７の内側スペースに配置する界磁導体５ａの間のスロット絶縁体６を絶縁ブロック７の内側スペースに配置する界磁導体５ａと回転子鉄心１との間の沿面距離Ｌｃを満足する範囲に留めている。これにより、スロット絶縁体６より外径側に位置する絶縁ブロック７の内側スペースに配置する界磁導体５ｂの幅を大きくすることができ、その分だけ界磁導体５の総断面積を増加できる。その他の作用効果については前述した各変形例と同様である。
【００３３】
（第２の実施形態）
次に、本発明に係る回転電機の回転子の第２の実施形態について、図５を用いて説明する。
【００３４】
図５は、図３の構成において、界磁コイル５、絶縁ブロック７、および回転子楔４にそれぞれ、回転子スロット１の径方向に貫通する冷却孔８ａ、８ｂ、８ｃを形成して、界磁コイル３を形成する界磁導体５を、回転子スロット２の内径側に設けた図示しない冷却流路から、界磁導体に設けられた冷却孔８ａ、絶縁ブロックに設けられた冷却孔８ｂ、回転子楔に設けられた冷却孔８ｃを通して冷媒をギャップ９へ流して冷却するよう構成したものである。本実施形態においては、絶縁ブロック７に設けた冷却孔８ｂの内面に凹凸が設けられている。
【００３５】
このような構造において、絶縁上で問題となるのは、絶縁ブロック７の内側スペースに配置する界磁導体５ａと回転子鉄心１との間の沿面距離Ｌｃおよび冷却孔８ｂの内面に沿った沿面距離Ｌｂであるが、絶縁ブロック７の内側スペースに配置した界磁導体５ａと回転子鉄心１との間の沿面距離Ｌｃについては絶縁ブロック７の厚さＴを十分にとることにより確保され、また冷却孔８ｂの内面に沿った沿面距離Ｌｂについては、絶縁ブロック７に設ける冷却孔８ｂの内面に凹凸を形成することにより十分な距離を確保しているため、絶縁健全性は従来の構成と変わらない。また絶縁ブロック７の内側スペースに界磁導体５ａを配置していることにより界磁導体の総断面積を増加できる。
【００３６】
本実施形態の構成は冷却孔８ａ、８ｂ、８ｃを有すること以外は第１の実施形態の第２の変形例と同一の構成となっているため、他の作用効果は第１の実施形態の第２の変形例と同様である。
【００３７】
なお、本実施形態は図示した構成に限らず、冷却孔８ａ、８ｂ、８ｃを有すること以外の構成を第１の実施形態と同一としたもの、第１の実施形態の第１の変形例と同一としたもの、第１の実施形態の第３の変形例と同一としても同様の効果を得ることができる。
【００３８】
（第３の実施形態）
次に、本発明に係る回転電機の回転子の第３の実施形態について、図６を用いて説明する。
【００３９】
図６は、図５の構成において、絶縁ブロック７の凹部と対向する界磁導体５ａの冷却孔の幅を他の界磁導体５より大きくし、絶縁ブロック７の冷却孔８ｂ側を界磁導体５ａの冷却孔内の一部に延長させ、絶縁ブロック７の冷却孔８ｂの部分が図５の構成に比べて長くなるよう構成している。
【００４０】
界磁コイル３を形成する界磁導体５は、回転子スロット２の内径側に設けた図示しない冷却流路から、界磁導体３の冷却孔８ａ、絶縁ブロック７の冷却孔８ｂ、回転子楔４の冷却孔８ｃを通して冷媒をギャップ９へ流すことにより冷却している。また絶縁ブロック７の内径側の冷却孔８ｂの側面には図５の構成と同様に凹凸部が設けられており、凹凸部の最外径側の界磁導体５ａの冷却孔８ａと嵌合させている。
【００４１】
このような構造において、絶縁上で問題となるのは、絶縁ブロック７の内側スペースに設けた界磁導体５ａと回転子鉄心１との間の沿面距離Ｌｃ、および冷却孔の内面に沿った沿面距離Ｌｂであるが、絶縁ブロック７の内側スペースに設けた界磁導体５ａと回転子鉄心１との間の沿面距離Ｌｃについては絶縁ブロック７の厚さＴを十分にとることにより確保され、また冷却孔の内面に沿った沿面距離Ｌｂについては、絶縁ブロック７の内径側の冷却孔８ｂの側面に凹凸部を設けることにより十分な距離を確保している。
【００４２】
このように、本実施形態の構成においては、沿面距離が十分に確保されるため、絶縁健全性は従来の構成と変わらない。
【００４３】
また、絶縁ブロック７の内径側の中空上突起を最外径側の界磁導体の冷却孔８ａに嵌合するようにしているため、界磁導体５と絶縁ブロック７の熱伸び差によって界磁導体５の冷却孔８ａと絶縁ブロック７の冷却孔８ｂの位置がずれて冷媒の流れを阻害することが防止できる。
【００４４】
本実施形態の構成は、冷却孔８ａ、８ｂ、８ｃを有すること以外は第１の実施形態の第２の変形例と同一の構成となっているため、他の作用効果は第１の実施形態における第２の変形例と同様である。
【００４５】
なお、本実施形態は図示した構成に限らず、冷却孔８ａ、８ｂ、８ｃを有すること以外の構成を第１の実施形態と同一としたもの、第１の実施形態における第１の変形例と同一としたもの、第１の実施形態の第３の変形例と同一としても成り立つことはもちろんである。
【００４６】
次に、本発明に係る回転電機の第３の実施形態における第１の変形例について、図７を用いて説明する。
【００４７】
図７において本変形例は、図６に示した実施形態における絶縁ブロック７を絶縁ブロック７の冷却孔８ｂの位置に貫通孔を有する凹字断面形状の第１の絶縁ブロック７ａと、第１の絶縁ブロック片７ａの貫通孔８ｂに嵌合した、中空パイプ状の第２の絶縁ブロック７ｂで構成したことを特徴とする。
【００４８】
本変形例では、絶縁ブロック７が、第１の絶縁ブロック片７ａと第２の絶縁ブロック片７ｂとの２つの部材から構成されるため、絶縁ブロック７を製作する際に内径側の冷却孔８ｂの位置に設ける中空上の突起の加工が不要となる。また、絶縁ブロック７の冷却孔８ｂの内径に凹凸を形成する場合にも、形状が単純な第２の絶縁ブロック片７ｂを加工すれば良いため、凹凸の加工が容易となる利点がある。他の作用効果については第３の実施形態と同様である。
【００４９】
次に、本発明に係る回転電機の第３の実施形態における第２の変形例について、図８を用いて説明する。本変形例においては、図６に示した実施形態における絶縁ブロック７を絶縁ブロック７の冷却孔８ｂの位置に貫通孔を有する凹字断面形状の第１の絶縁ブロック片７ａと、第１の絶縁ブロック片７ａの貫通孔８ｂに嵌合し、外径側につばを設けた中空パイプ状の第２の絶縁ブロック片７ｂで構成したことを特徴とする。
【００５０】
本変形例では、絶縁ブロック７が、第１の絶縁ブロック片７ａと第２の絶縁ブロック片７ｂとの２つの部材から構成されるため、絶縁ブロック７を製作する際に内径側の冷却孔８ｂの位置に設ける中空上の突起の加工が不要となる。また、絶縁ブロックの冷却孔８ｂの内径に凹凸を形成する場合にも、第２の絶縁ブロック片７ｂは第３の実施形態の第１の変形例に比べれば複雑な形状ではあるが、第３の実施形態の絶縁ブロック７よりは単純な形状であり、加工が容易となる。
【００５１】
また、絶縁ブロック７が、第１の絶縁ブロック片７ａと第２の絶縁ブロック片７ｂとの２つの部材から構成する場合には、両者の接合が不完全であると、第１の絶縁ブロック片と第２の絶縁ブロック片の接合面に沿った沿面距離Ｌｄが絶縁上問題となる。本変形例では、第２の絶縁ブロック片７ｂの外径側につばを設けているため、第１の絶縁ブロック片７ａと第２の絶縁ブロック片７ｂの接合が不完全であっても、第１の絶縁ブロック片７ａと第２の絶縁ブロック片７ｂの接合面に沿った沿面距離Ｌｄが確保されているため、絶縁健全性を従来構成と同等にできる。他の作用効果については第３の実施形態と同様である。
【００５２】
（第４の実施形態）
次に、本発明に係る回転電機の回転子の第４の実施形態について、図９を用いて説明する。
【００５３】
図９は、図５に示した第２の実施形態において、絶縁ブロック７と対向する回転子楔４の冷却孔８ｃの内面を他の冷却孔より大きくなるよう加工して、絶縁ブロック７と回転子楔４との間に間隙部分を形成するようにしている。
【００５４】
このような構造において、絶縁上で問題となるのは、絶縁ブロック７中の界磁導体５ａと回転子鉄心１との間の沿面距離Ｌｃおよび冷却孔の内面に沿った沿面距離Ｌｂであるが、絶縁ブロック７の内側スペースに設けた界磁導体５ａと回転子鉄心１との間の沿面距離Ｌｃについては、絶縁ブロック７の厚さＴを十分にとることにより確保され、また冷却孔８ｂの内面に沿った沿面距離Ｌｂについては、絶縁ブロック７の外径側の冷却孔８ｂの近傍と回転子楔４の内径側の冷却孔８ｃ近傍の間に空隙を設けることにより十分な距離を確保している。なお、本実施形態では、図９のように絶縁ブロック７の冷却孔８ｂに凹凸を設けた場合を示したが、凹凸を設けない構成としても良い。
【００５５】
本実施形態においては、沿面距離が十分に確保されるため、絶縁健全性は従来の構成と変わらない。また絶縁ブロック７の内側スペースに界磁導体５ａを配置したことにより界磁導体５の総断面積を増加できることは前述した実施形態と同様である。
【００５６】
なお、本実施形態では絶縁ブロック７の外径側に設けた冷却孔８ｂの近傍と回転子楔４の内径側に設けた冷却孔８ｃ近傍との間に空隙を設けるために回転子楔４の内径側を加工しているが、絶縁ブロック７の外径側を加工しても同様であり、また、両側を加工しても良い。
【００５７】
本実施形態の構成は、絶縁ブロック７の外径側に設けた冷却孔８ｂの近傍と回転子楔４の内径側に設けた冷却孔８ｃ近傍との間に空隙を設けること以外は、図５に示した構成と同様になっているため、他の作用効果については図５に示した実施形態における作用効果と同様である。
【００５８】
（第５の実施形態）
次に、本発明に係る回転電機の回転子の第５の実施形態について、図１０を用いて説明する。
【００５９】
図１０は、図５に示した構成において、絶縁ブロック７の冷却孔８ｂの内面にネジ加工を施し、回転子楔４の外径側から回転子楔４の冷却孔８ａと絶縁ブロック７の冷却孔８ｂを貫通する絶縁パイプ１２を挿入し、絶縁ブロック７に設けた冷却孔８ｂの内面のネジ加工部分にネジ結合している。また、絶縁パイプ１２の外径側には、回り止め用の飛散防止部材１３が設けられている。
【００６０】
このような構造において、絶縁上で問題となるのは、絶縁ブロック７の内側スペースに設ける界磁導体５ａと回転子鉄心１との間の沿面距離Ｌｃ、および冷却孔８ｂの内面に沿った沿面距離Ｌｂであるが、絶縁ブロック７の内側スペースに設けた界磁導体５ａと回転子鉄心１との間の沿面距離Ｌｃについては、絶縁ブロックの厚さＴを十分にとることにより確保され、また、冷却孔８ｂの内面に沿った沿面距離Ｌｂについては、絶縁ブロック７の外径側に設けた冷却孔８ｂの近傍と回転子楔４の内径側の冷却孔８ｂの近傍との間に間隙を設けることにより十分な距離を確保している。
【００６１】
本実施形態においては、上記の構成により、沿面距離が十分に確保されるため、絶縁健全性は従来の構成と変わらない。
【００６２】
また、本実施形態では回転子楔４の冷却孔８ｃと絶縁ブロック７の冷却孔８ｂの両者に嵌合する絶縁パイプ１２を設けているため、回転子楔４と絶縁ブロック７の熱伸び差によって回転子楔４の冷却孔８ｃと絶縁ブロック７の冷却孔８ｂの位置がずれて冷媒の流れが阻害されることを防止できる。
【００６３】
なお、本発明の構成は、その要旨を逸脱しない範囲で上記した実施形態に限らず種々に変形して構成することが可能である。
【図面の簡単な説明】
【００６４】
【図１】本発明に係る回転電機の回転子の第１の実施形態における回転子スロット外径部付近の断面を示す基本構成図。
【図２】本発明に係る第１の実施形態における第１の変形例である回転電機の回転子における回転子スロット外径部付近の断面を示す基本構成図。
【図３】本発明に係る第１の実施形態における第２の変形例である回転電機の回転子における回転子スロット外径部付近の断面を示す基本構成図。
【図４】本発明に係る第１の実施形態における第３の変形例である回転電機の回転子における回転子スロット外径部付近の断面を示す基本構成図。
【図５】本発明に係る第２の実施形態である回転電機の回転子における回転子スロット外径部付近の断面を示す基本構成図。
【図６】本発明に係る第３の実施形態である回転電機の回転子における回転子スロット外径部付近の断面を示す基本構成図。
【図７】本発明に係る第３の実施形態における第１の変形例である回転電機の回転子における回転子スロット外径部付近の断面を示す基本構成図。
【図８】本発明に係る第３の実施形態における第２の変形例である回転電機の回転子における回転子スロット外径部付近の断面を示す基本構成図。
【図９】本発明に係る第４の実施形態である回転電機の回転子における回転子スロット外径部付近の断面を示す基本構成図。
【図１０】本発明に係る第５の実施形態である回転電機の回転子における回転子スロット外径部付近の断面を示す基本構成図。
【図１１】従来の回転電機の回転子の基本構成を示す横断面図。
【図１２】従来の回転子における界磁スロット外径部の基本構成を示す部分横断面図。
【符号の説明】
【００６５】
１：回転子鉄心    ２：回転子スロット    ３：界磁コイル    ４：回転子楔    ５、５ａ、５ｂ：界磁導体    ６：スロット絶縁体    ７：絶縁ブロック    ７ａ：第１の絶縁ブロック片    ７ｂ：第２の絶縁ブロック片    ８ａ：界磁導体の冷却孔    ８ｂ：絶縁ブロックの冷却孔    ８ｃ：回転子楔の冷却孔    ９：ギャップ    １２：絶縁パイプ    １３：飛散防止部材    １４：回転子ティース    １４ａ：回転子ティース最狭部    １５：冷媒流路    Ｌａ：回転子楔と界磁導体間の沿面距離    Ｌｂ：冷却孔内面に沿った沿面距離    Ｌｃ：界磁導体と回転子鉄心間の沿面距離    Ｌｄ：第１の絶縁ブロック片と第２の絶縁ブロック片の接合面に沿う沿面距離    Ｔ：絶縁ブロックの厚さ
【図１】
2009254011.tif 000003
【図２】
2009254011.tif 000004
【図３】
2009254011.tif 000005
【図４】
2009254011.tif 000006
【図５】
2009254011.tif 000007
【図６】
2009254011.tif 000008
【図７】
2009254011.tif 000009
【図８】
2009254011.tif 000010
【図９】
2009254011.tif 000011
【図１０】
2009254011.tif 000012
【図１１】
2009254011.tif 000013
【図１２】
2009254011.tif 000014